(57)【特許請求の範囲】
【請求項１】
注射のためのシステムであって、
ａ．内部薬品チャンバを画定する注射器本体と、
ｂ．前記内部薬品チャンバの中に挿入され、前記薬品チャンバ内に薬品を封じ込めるように構成されているストッパ部材と、
ｃ．前記ストッパ部材を前記注射器本体に対して挿入するために手動で操作されるように構成されているプランジャ部材と、
ｄ．近位および遠位端を有する針であって、前記近位端は、前記ストッパ部材の中に少なくとも部分的に穿通させられるように構成されている係留幾何学形状を備え、それによって、前記ストッパ部材の後退時、前記針は、前記ストッパとともに近位に引っぱられ、前記内部薬品チャンバ内に少なくとも部分的に含まれる、針と、
ｅ．前記注射器本体に対する前記ストッパ部材の後退を促進するように構成されているエネルギー貯蔵部材と、
ｆ．掛止された位置と掛止解除位置とを有する針ラッチであって、前記掛止された位置において、前記針ラッチは、前記注射器本体に対する前記針の近位移動を防止し、前記掛止解除位置において、前記針ラッチは、前記注射器本体に対する前記針の近位移動を可能にする、針ラッチと、
ｇ．ドアであって、前記ドアは、前記ドアが前記掛止された位置における前記針ラッチに対して遠位に移動される場合、前記掛止された位置から前記掛止解除位置に前記針ラッチを移動させるように構成されている、ドアと
を備え、
ｈ．前記針および前記ドアは、遠位に前記針を移動させることが、前記針が遠位向きの力を前記ドアに加えることを行わせ、前記ドアを遠位に移動させ、それによって、前記掛止された位置から前記掛止解除位置に前記針ラッチを移動させるように構成されている、システム。
【請求項２】
前記プランジャ部材は、内部体積を画定するプランジャ部材本体を備え、前記エネルギー貯蔵部材は、前記プランジャ部材本体内部体積の実質的に内側に格納されている、請求項１に記載のシステム。
【請求項３】
前記プランジャ部材に動作可能に結合され、前記プランジャ部材本体内部体積内に実質的に格納されているラッチ部材をさらに備え、前記ラッチ部材は、前記ラッチ部材が前記エネルギー貯蔵部材をエネルギー貯蔵状態に維持している第１の機械的状態と、前記ラッチ部材が、前記エネルギー貯蔵部材が、前記エネルギー貯蔵部材によって貯蔵されるエネルギーを解放し、前記注射器本体に対する前記ストッパ部材の後退を補助することを可能にする第２の機械的状態とを有するように構成されている、請求項２に記載のシステム。
【請求項４】
前記ラッチ部材は、前記プランジャ部材本体内部体積の外側に延びるように構成されているトリガ部分を備え、前記トリガ部分は、前記プランジャ部材および相互結合されたストッパ部材が前記注射器本体に対して所定の挿入位置に到達すると、前記エネルギー貯蔵部材が自動的に解放され得るように、前記注射器本体に動作可能に結合するように構成されている、請求項３に記載のシステム。
【請求項５】
前記所定の挿入位置は、前記ストッパが前記注射器本体に対して完全挿入状態に位置付けられている場所である、請求項４に記載のシステム。
【請求項６】
前記エネルギー貯蔵部材は、ばね、固体ペレット、または単一の略螺旋形状のコイルである、請求項１に記載のシステム。
【請求項７】
前記エネルギー貯蔵部材は、複数の略螺旋形状のコイルを備えているばねであり、前記複数の略螺旋形状のコイルを備えている前記コイルのうちの少なくとも２つは、同軸状に整列させられ、前記同軸状に整列させられている螺旋形状のコイルは、前記コイルの圧縮時のコイル干渉を防止するために、互に対して反対巻き方向で螺旋状に巻かれている、請求項１に記載のシステム。
【請求項８】
前記プランジャは、前記ストッパ部材を後退させるように構成されている、請求項１に記載のシステム。
【請求項９】
前記プランジャ部材は、ねじ山付き先端を有し、前記ねじ山付き先端は、中空陥凹を備える、請求項１に記載のシステム。
【請求項１０】
前記中空陥凹は、前記針近位端が、前記ストッパを完全に穿通することを可能にするように構成されている、請求項９に記載のシステム。
【発明の詳細な説明】
【技術分野】
【０００１】
（関連出願）
本願は、米国特許法§１１９に基づき、米国仮特許出願第６１／９０４，９０１号（２０１３年１１月１５日出願）の利益を主張する。上記出願は、その全体が参照により本明細書に援用される。
【０００２】
（発明の分野）
本発明は、概して、流体注入の種々の制御のレベルを促進するための注射システム、デバイス、およびプロセスに関し、より具体的には、注射が完了した後、針の鋭くとがった先が後退させられることが所望される環境における、安全注射器に関連するシステムおよび方法に関する。
【背景技術】
【０００３】
図１に描写されるもの等の何百万個の注射器（２）が、毎日、医療環境で消費されている。典型的注射器（２）は、チューブ状の本体（４）と、プランジャ（６）と、注射針（８）と備えている。典型的注射器は、空で供給され、使用時点において、薬品バイアルから充填され得る。図２は、針（８）を伴う注射器（２）を注射可能薬品（１０）の液体バイアルから充填するプロセスを図示する。薬品は、液体または使用時に液体と混合される粉末であることができる。図３は、従来の注射器（１２）とともに使用される、針（８）を示す。針は、針ハブ（１９）と注射器の正面上のルアーロックアダプタ（１４）とを用いて、注射器に接続される。
【０００４】
針注射構成の使用は、鋭利な針が所望されない構造に接触する、またはそれを突き刺す危険性をもたらす。このため、いわゆる「安全注射器」が、開発されている。安全注射器（２０）構成の１つは、図４に示され、チューブ状の遮蔽体部材（２２）は、注射器本体（４）に対する係止位置から解放されると、針（８）を覆うようにばね付勢される。
【０００５】
そのような構成は、嵩張り、かつ使用が煩雑であるため、ユーザによって準最適に認知され得る。例えば、外部ばねベースの遮蔽体は、比較的に大きく、急速に起動し、それによって、ユーザ上等、望ましくない方向に血液粒子を噴霧し得る。いくつかの事例では、工場において注射器に薬物を事前に充填し、図２に示される充填ステップを排除することが望ましい。さらに、既存の安全注射器構成は、概して、薬物で事前に充填されることとの適合性がない。注射のための一般的薬物は、液体形態にあり得るか、または使用時に液体と混合される粉末を備え得る。そのようなシステムのエラストマーおよびポリマー材料は、物質、湿気、または酸素を注射器本体内に含まれる液体の中に時間と共に混入させ得る。事前に充填されたガラス注射器本体は、図５に示される。事前に充填された注射器は、ストッパ（５）に取り付けられるプランジャ（６）と、恒久的に結合された針（８）、または使用時点における針の接続のためのルアーロック接続（１４）のいずれかとを伴う、ガラス管状本体（４）から構築される。ガラス本体は、薬物の中への汚染物質、湿気、または酸素のいかなる混入も最小化するために使用される。これらのガラス注射器本体は、概して、現在の安全注射器システムと適合性がない。現在利用可能な構成の欠点に対処する、改良された注射システムの必要性がある。
【発明の概要】
【課題を解決するための手段】
【０００６】
一実施形態は、注入のために流体を含み得る、注射器本体の内側の注射器ストッパに結合される、注射器プランジャのアセンブリを提供することを含む、注射を行う方法を対象とする。注射器本体は、針アセンブリに結合される遠位端と、ハンドルに結合され得る、近位端とを有する。注射器プランジャは、注射器ストッパを注射器本体内で移動させ、注入のための流体を針から排出するように構成され得る。針アセンブリは、針および針筐体から構築され得る。針は、カニューレ、カニューレハブ、および返しから構築され得る。針は、注射プロセスの間、針筐体によって定位置に保持されるように構成され得る。注射の完了時またはその間際に、針は、注射器ストッパに取り付けられるように構成され得、針筐体は、針を解放するように構成され得、したがって、針は、注射器本体の中に後退させられ得る。注射器プランジャは、プランジャ本体、プランジャ先端、ラッチ、および後退要素から構築され得る。注射器プランジャ本体は、注射の完了に応じて針を後退させるように構成され得る、後退要素を保持する、ラッチ構成要素と協働するように構成され得る。注射器本体の中への後退に応じて、針筐体は、孔を遮断するように構成され得、したがって、針は、注射器本体または針筐体から再び露出されることができない。
【０００７】
別の実施形態は、注入のための流体を含み得る、注射器本体の内側の注射器ストッパに結合される、注射器プランジャのアセンブリを提供することを含む、注射を行う方法を対象とする。注射器本体は、針アセンブリに結合され得る遠位端と、ハンドルに結合され得る近位端とを有する。注射器プランジャは、注射器ストッパを注射器本体内で移動させ、注入のための流体を針から排出するように構成され得る。針アセンブリは、針および針筐体から構築され得る。針は、カニューレ、カニューレハブ、および返しから構築され得る。針は、注射プロセスの間、針筐体によって定位置に保持されるように構成され得る。注射の完了時またはその間際に、針は、注射器ストッパに結合するように構成され得、針筐体は、針を解放するように構成され得、したがって、針は、注射器本体の中に後退させられることができる。注射器プランジャは、注射器本体の内側への針の手動後退を可能にするように構成され得る。注射器本体の中への後退に応じて、針筐体は、孔を遮断するように構成され得、したがって、針は、注射器本体または針筐体から再延長されることができない。
【０００８】
別の実施形態は、注入のための流体を含み得る、注射器本体の内側の注射器ストッパに結合される、注射器プランジャのアセンブリを提供することを含む、注射を行う方法を対象とする。注射器本体は、針アセンブリに結合され得る遠位端と、ハンドルに結合され得る近位端とを有する。注射器プランジャは、注射器ストッパを注射器本体内で移動させ、注入のための流体を針から排出するように構成され得る。針アセンブリは、針および針筐体から構築され得る。針は、カニューレ、カニューレハブ、および返しから構築され得る。針は、注射プロセスの間、針筐体によって定位置に保持されるように構成され得る。注射の完了時またはその間際、針は、注射器ストッパに結合するように構成され得、針筐体は、針を解放するように構成され得、したがって、針は、注射器本体の中に後退させられることができる。注射器プランジャは、プランジャステムと、プランジャ先端と、親指パッドと、後方ベースと、ブレーキリテーナと、ブレーキと、後退要素とを備え得る。注射器プランジャは、注射ストロークの間、プランジャの前進方向運動中、後退要素に荷重をかけることによって、エネルギーを貯蔵するように構成され得る。注射器プランジャの後退方向運動は、注射プロセスの間、ブレーキ構成要素によって制約され得る。ブレーキ構成要素は注射の完了に応じて、プランジャを解放し、貯蔵されたエネルギーが解放され、プランジャおよび結合された針の後退方向運動を生じさせ、針を注射器本体の中に後退させることを可能にするように構成され得る。注射器本体の中への後退に応じて、針筐体は、孔を遮断するように構成され得、したがって、針は、注射器本体または針筐体から再延長されることができない。
【０００９】
別の実施形態は、内部薬品チャンバを画定する注射器本体と、内部薬品チャンバの中に挿入され、薬品チャンバ内に薬品を封じ込めるように構成されているストッパ部材と、ストッパ部材を注射器本体に対して挿入するために手動で操作されるように構成されているプランジャ部材と、近位および遠位端を有する針であって、近位端は、ストッパ部材の後退時、針が、ストッパとともに近位に引っぱられ、内部薬品チャンバ内に少なくとも部分的に含まれるように、少なくとも部分的に、ストッパ部材の中に穿通させられるように構成されている係留幾何学形状を備えている、針と、ストッパ部材と注射器本体との間に動作可能に結合されているエネルギー貯蔵部材であって、注射器本体に対するストッパ部材の後退を促進するように構成されている、エネルギー貯蔵部材とを含む、注射のためのシステムを対象とする。プランジャ部材は、内部体積を画定するプランジャ部材本体を備え得、エネルギー貯蔵部材は、プランジャ部材本体内部体積の実質的に内側に格納される。本システムはさらに、プランジャ部材に動作可能に結合され、プランジャ部材本体内部体積内に実質的に格納される、ラッチ部材を備え得、ラッチ部材は、ラッチ部材がエネルギー貯蔵部材をエネルギー貯蔵状態に維持している第１の機械的状態と、ラッチ部材が、エネルギー貯蔵部材が、エネルギー貯蔵部材によって貯蔵されるエネルギーを解放し、注射器本体に対するストッパ部材の後退を補助することを可能にする第２の機械的状態とを有するように構成される。ラッチ部材は、プランジャ部材と相互結合されたストッパ部材が、注射器本体に対して所定の挿入位置に到達すると、エネルギー貯蔵部材が自動的に解放され得るように、プランジャ部材本体内部体積の外側に延び、注射器本体に動作可能に結合するように構成される、トリガ部分とを備え得る。所定の挿入位置は、ストッパが注射器本体に対して完全挿入状態に位置付けられている場所であり得る。エネルギー貯蔵部材は、ばねであり得る。ばねは、ステンレス鋼、炭素鋼、ベリリウム銅合金、ニッケル−チタン合金、クロム−シリコン合金、およびコバルト−ニッケル合金から成る群から選択される材料を含み得る。ばねは、エラストマーポリマーを含み得る。エラストマーポリマーは、スチレンポリマー、コポリエステルポリマー、ポリウレタン、ポリアミド、ポリオレフィン混成物、ポリオレフィン合金、ポリオレフィンプラストマ、ポリオレフィンプラストマ、およびゴムから成る群から選択され得る。エネルギー貯蔵部材は、固体ペレット部材を含み得る。固体ペレット部材は、スチレンポリマー、コポリエステルポリマー、ポリウレタン、ポリアミド、ポリオレフィン混成物、ポリオレフィン合金、ポリオレフィンプラストマ、ポリオレフィンプラストマ、およびゴムから成る群から選択されるエラストマーポリマーであり得る。ばねは、単一の略螺旋形状のコイルを含み得る。ばねは、複数の略螺旋形状のコイルを含み得る。複数の略螺旋形状のコイルを含むコイルのうちの少なくとも２つは、同軸状に整列させられ得る。複数の略螺旋形状のコイルを含むコイルのうちの少なくとも２つは、縦方向に平行に整列させられ得る。同軸状に整列させられている螺旋形状のコイルはまた、縦方向に平行にも整列させられ得る。同軸状かつ縦方向に平行に整列させられている螺旋形状のコイルは、互に対して反対巻き方向で螺旋状に巻かれ、コイルの圧縮時のコイル干渉を防止し得る。プランジャの後退は、針の少なくとも一部が、注射器本体の内部薬品チャンバの中に引き抜かれるように、相互結合されたストッパ部材および針を後退させ得る。プランジャ部材は、ねじ山付き先端と、中空陥凹とを有し得る。プランジャ先端中空陥凹は、針近位端が、ストッパを完全に穿通することを可能にするように構成され得る。注射器本体は、ガラスを含み得る。注射器本体は、ポリマーを含み得る。ストッパ部材は、ブチルゴムを含み得る。ラッチは、ポリエーテルイミド、ｐｅｅｋ、およびポリアミドから成る群から選択されるポリマーを含み得る。プランジャは、ポリエーテルイミド、ｐｅｅｋ、およびポリアミドから成る群から選択されるポリマーを含み得る。
【００１０】
別の実施形態は、内部薬品チャンバを画定する注射器本体と、内部薬品チャンバの中に挿入され、薬品チャンバ内に薬品を封じ込めるように構成されているストッパ部材と、ストッパ部材を注射器本体に対して挿入するために手動で操作されるように構成されているプランジャ部材と、近位および遠位端を有する針であって、近位端は、ストッパ部材の後退時、針が、ストッパとともに近位に引っぱられ、少なくとも部分的に、内部薬品チャンバ内に含まれるように、少なくとも部分的に、ストッパ部材の中に挿入されるように構成されている係留幾何学形状を備えている、針とを備え、ストッパ部材は、少なくとも部分的に、針の鋭くされた近位端によって穿刺されるように構成され、針は、少なくとも部分的に、ストッパ部材の中に穿刺させられた後の引き出しに抵抗するように構成されている少なくとも１つの係留要素を有する、注射のためのシステムを対象とする。少なくとも１つの係留要素は、１枚のシート原材料から形成され得る。少なくとも１つの係留要素は、返し、スカイブカット、フック幾何学形状、および矢じり幾何学形状から成る群から選択され得る。ストッパは、注射器本体の内側幾何学形状に実質的に合致し、注射器本体と実質的に密閉するように選択されている外側幾何学形状を有し得る。ストッパは、クロロブチルゴム、ブロモブチルゴム、およびシリコンゴムから成る群から選択されるエラストマー材料を含み得る。本システムはさらに、ストッパの少なくとも一部に塗布され、薬品材料をストッパから隔離するための封止剤コーティングを備え得る。封止剤コーティングは、ＰＴＦＥフィルムを含み得る。本システムはさらに、ストッパと注射器本体との間に導入されている潤滑剤層を備え得る。潤滑剤層は、シリコン油を含み得る。ストッパ部材の遠位部分は、従来の市販のコンプライアントなストッパを含み得る。ストッパ部材は、針に結合するための陥凹または突起を伴わない未処理固体コンプライアント部材を含み得る。プランジャ部材は、ねじ山付き先端と、中空陥凹とを有し得る。プランジャ先端中空陥凹は、針近位端が、ストッパを完全に穿通することを可能にするように構成され得る。注射器本体は、ガラスを含み得る。注射器本体は、ポリマーを含み得る。シート原材料は、ステンレス鋼、コバルト−クロム合金、およびチタンから成る群から選択される金属を含み得る。針は、針の鋭くされた近位端がストッパ部材の中に穿通させられたとき、ストッパ部材の遠位端の遠位に位置する近位入口を有する、それを通る薬物通路を画定し得る。
本発明はさらに、例えば、以下を提供する。
（項目１）
注射のためのシステムであって、
ａ．内部薬品チャンバを画定する注射器本体と、
ｂ．前記内部薬品チャンバの中に挿入され、前記薬品チャンバ内に薬品を封じ込めるように構成されているストッパ部材と、
ｃ．前記ストッパ部材を前記注射器本体に対して挿入するために手動で操作されるように構成されているプランジャ部材と、
ｄ．近位および遠位端を有する針であって、前記近位端は、前記ストッパ部材の中に少なくとも部分的に穿通させられるように構成されている係留幾何学形状を備え、それによって、前記ストッパ部材の後退時、前記針は、前記ストッパとともに近位に引っぱられ、前記内部薬品チャンバ内に少なくとも部分的に含まれる、針と、
ｅ．前記ストッパ部材と前記注射器本体との間に動作可能に結合されているエネルギー貯蔵部材であって、前記エネルギー貯蔵部材は、前記注射器本体に対する前記ストッパ部材の後退を促進するように構成されている、エネルギー貯蔵部材と
を備えている、システム。
（項目２）
前記プランジャ部材は、内部体積を画定するプランジャ部材本体を備え、前記エネルギー貯蔵部材は、前記プランジャ部材本体内部体積の実質的に内側に格納されている、項目１に記載のシステム。
（項目３）
前記プランジャ部材に動作可能に結合され、前記プランジャ部材本体内部体積内に実質的に格納されているラッチ部材をさらに備え、前記ラッチ部材は、前記ラッチ部材が前記エネルギー貯蔵部材をエネルギー貯蔵状態に維持している第１の機械的状態と、前記ラッチ部材が、前記エネルギー貯蔵部材が、前記エネルギー貯蔵部材によって貯蔵されるエネルギーを解放し、前記注射器本体に対する前記ストッパ部材の後退を補助することを可能にする第２の機械的状態とを有するように構成されている、項目２に記載のシステム。
（項目４）
前記ラッチ部材は、前記プランジャ部材本体内部体積の外側に延びているトリガ部分を備え、前記トリガ部分は、前記プランジャ部材および相互結合されたストッパ部材が前記注射器本体に対して所定の挿入位置に到達すると、前記エネルギー貯蔵部材が自動的に解放され得るように、前記注射器本体に動作可能に結合するように構成されている、項目３に記載のシステム。
（項目５）
前記所定の挿入位置は、前記ストッパが前記注射器本体に対して完全挿入状態に位置付けられている場所である、項目４に記載のシステム。
（項目６）
前記エネルギー貯蔵部材は、ばねである、項目１に記載のシステム。
（項目７）
前記ばねは、ステンレス鋼、炭素鋼、ベリリウム銅合金、ニッケル−チタン合金、クロム−シリコン合金、およびコバルト−ニッケル合金から成る群から選択される材料を備えている、項目６に記載のシステム。
（項目８）
前記ばねは、エラストマーポリマーを備えている、項目６に記載のシステム。
（項目９）
前記エラストマーポリマーは、スチレンポリマー、コポリエステルポリマー、ポリウレタン、ポリアミド、ポリオレフィン混成物、ポリオレフィン合金、ポリオレフィンプラストマ、ポリオレフィンプラストマ、およびゴムから成る群から選択される、項目８に記載のシステム。
（項目１０）
前記エネルギー貯蔵部材は、固体ペレット部材を備えている、項目１に記載のシステム。
（項目１１）
前記固体ペレット部材は、スチレンポリマー、コポリエステルポリマー、ポリウレタン、ポリアミド、ポリオレフィン混成物、ポリオレフィン合金、ポリオレフィンプラストマ、ポリオレフィンプラストマ、およびゴムから成る群から選択されるエラストマーポリマーである、項目１０に記載のシステム。
（項目１２）
前記ばねは、単一の略螺旋形状のコイルを備えている、項目６に記載のシステム。
（項目１３）
前記ばねは、複数の略螺旋形状のコイルを備えている、項目６に記載のシステム。
（項目１４）
前記複数の略螺旋形状のコイルを備えている前記コイルのうちの少なくとも２つは、同軸状に整列させられている、項目１３に記載のシステム。
（項目１５）
前記複数の略螺旋形状のコイルを備えている前記コイルのうちの少なくとも２つは、縦方向に平行に整列させられている、項目１３に記載のシステム。
（項目１６）
前記同軸状に整列させられている螺旋形状のコイルは、縦方向に平行にも整列させられている、項目１４に記載のシステム。
（項目１７）
前記同軸状かつ縦方向に平行に整列させられている螺旋形状のコイルは、前記コイルの圧縮時のコイル干渉を防止するために、互に対して反対巻き方向で螺旋状に巻かれている、項目１６に記載のシステム。
（項目１８）
前記プランジャの後退は、前記針の少なくとも一部が前記注射器本体の内部薬品チャンバの中に引き抜かれるように、前記相互結合されたストッパ部材および針を後退させる、項目１に記載のシステム。
（項目１９）
前記プランジャ部材は、ねじ山付き先端と、中空陥凹とを有する、項目１に記載のシステム。
（項目２０）
前記プランジャ先端中空陥凹は、前記針近位端が、前記ストッパを完全に穿通することを可能にするように構成されている、項目１９に記載のシステム。
（項目２１）
前記注射器本体は、ガラスを備えている、項目１に記載のシステム。
（項目２２）
前記注射器本体は、ポリマーを備えている、項目１に記載のシステム。
（項目２３）
前記ストッパ部材は、ブチルゴムを備えている、項目１に記載のシステム。
（項目２４）
前記ラッチは、ポリエーテルイミド、ｐｅｅｋ、およびポリアミドから成る群から選択されるポリマーを備えている、項目３に記載のシステム。
（項目２５）
前記プランジャは、ポリエーテルイミド、ｐｅｅｋ、およびポリアミドから成る群から選択されるポリマーを備えている、項目１に記載のシステム。
（項目２６）
注射のためのシステムであって、
ａ．内部薬品チャンバを画定する注射器本体と、
ｂ．前記内部薬品チャンバの中に挿入され、前記薬品チャンバ内に薬品を封じ込めるように構成されているストッパ部材と、
ｃ．前記ストッパ部材を注射器本体に対して挿入するために手動で操作されるように構成されているプランジャ部材と、
ｄ．近位および遠位端を有する針であって、前記近位端は、前記ストッパ部材の中に少なくとも部分的に穿通されるように構成されている係留幾何学形状を備え、それによって、前記ストッパ部材の後退時、前記針は、前記ストッパとともに近位に引っぱられ、前記内部薬品チャンバ内に少なくとも部分的に含まれる、針と
を備え、
前記ストッパ部材は、前記針の鋭くされた近位端によって少なくとも部分的に穿刺されるように構成され、前記針は、前記ストッパ部材の中に少なくとも部分的に穿刺させられた後の引き出しに抵抗するように構成されている少なくとも１つの係留要素を有する、システム。
（項目２７）
前記少なくとも１つの係留要素は、１枚のシート原材料から形成されている、項目２６に記載のシステム。
（項目２８）
前記少なくとも１つの係留要素は、返し、スカイブカット、フック幾何学形状、および矢じり幾何学形状から成る群から選択されている、項目２７に記載のシステム。
（項目２９）
前記ストッパは、前記注射器本体の内側幾何学形状に実質的に合致し、前記注射器本体と実質的に密閉するように選択されている外側幾何学形状を有する、項目２６に記載のシステム。
（項目３０）
前記ストッパは、クロロブチルゴム、ブロモブチルゴム、およびシリコンゴムから成る群から選択されるエラストマー材料を備えている、項目２６に記載のシステム。
（項目３１）
薬品材料を前記ストッパから隔離するために前記ストッパの少なくとも一部に塗布されている封止剤コーティングをさらに備えている、項目２６に記載のシステム。
（項目３２）
前記封止剤コーティングは、ＰＴＦＥフィルムを備えている、項目３１に記載のシステム。
（項目３３）
前記ストッパと前記注射器本体との間に導入されている潤滑剤層をさらに備えている、項目２６に記載のシステム。
（項目３４）
前記潤滑剤層は、シリコン油を備えている、項目３３に記載のシステム。
（項目３５）
前記ストッパ部材の遠位部分は、従来の市販のコンプライアントなストッパを備えている、項目２６に記載のシステム。
（項目３６）
前記ストッパ部材は、針に結合するための陥凹または突起を伴わない未処理固体コンプライアント部材を備えている、項目３５に記載のシステム。
（項目３７）
前記プランジャ部材は、ねじ山付き先端と、中空陥凹とを有する、項目６に記載のシステム。
（項目３８）
前記プランジャ先端中空陥凹は、前記針近位端が前記ストッパを完全に穿通することを可能にするように構成されている、項目３７に記載のシステム。
（項目３９）
前記注射器本体は、ガラスを備えている、項目２６に記載のシステム。
（項目４０）
前記注射器本体は、ポリマーを備えている、項目２６に記載のシステム。
（項目４１）
前記シート原材料は、ステンレス鋼、コバルト−クロム合金、およびチタンから成る群から選択される金属を備えている、項目２７に記載のシステム。
（項目４２）
前記針は、前記針を通る薬物通路を画定し、前記薬物通路は、近位入口を有し、前記近位入口は、前記針の鋭くされた近位端が前記ストッパ部材の中に穿通させられている場合、前記ストッパ部材の遠位端の遠位に位置している、項目２６に記載のシステム。
【図面の簡単な説明】
【００１１】
【図１】図１−５は、従来の注射器の構成の種々の側面を例証する。
【図２】図１−５は、従来の注射器の構成の種々の側面を例証する。
【図３】図１−５は、従来の注射器の構成の種々の側面を例証する。
【図４】図１−５は、従来の注射器の構成の種々の側面を例証する。
【図５】図１−５は、従来の注射器の構成の種々の側面を例証する。
【図６Ａ】図６Ａ−６Ｖは、本発明による、安全注射器アセンブリの一実施形態の種々の側面を図示し、針は、注射をすると、自動的に後退させられる。
【図６Ｂ】図６Ａ−６Ｖは、本発明による、安全注射器アセンブリの一実施形態の種々の側面を図示し、針は、注射をすると、自動的に後退させられる。
【図６Ｃ】図６Ａ−６Ｖは、本発明による、安全注射器アセンブリの一実施形態の種々の側面を図示し、針は、注射をすると、自動的に後退させられる。
【図６Ｄ】図６Ａ−６Ｖは、本発明による、安全注射器アセンブリの一実施形態の種々の側面を図示し、針は、注射をすると、自動的に後退させられる。
【図６Ｅ】図６Ａ−６Ｖは、本発明による、安全注射器アセンブリの一実施形態の種々の側面を図示し、針は、注射をすると、自動的に後退させられる。
【図６Ｆ】図６Ａ−６Ｖは、本発明による、安全注射器アセンブリの一実施形態の種々の側面を図示し、針は、注射をすると、自動的に後退させられる。
【図６Ｇ】図６Ａ−６Ｖは、本発明による、安全注射器アセンブリの一実施形態の種々の側面を図示し、針は、注射をすると、自動的に後退させられる。
【図６Ｈ】図６Ａ−６Ｖは、本発明による、安全注射器アセンブリの一実施形態の種々の側面を図示し、針は、注射をすると、自動的に後退させられる。
【図６Ｉ】図６Ａ−６Ｖは、本発明による、安全注射器アセンブリの一実施形態の種々の側面を図示し、針は、注射をすると、自動的に後退させられる。
【図６Ｊ】図６Ａ−６Ｖは、本発明による、安全注射器アセンブリの一実施形態の種々の側面を図示し、針は、注射をすると、自動的に後退させられる。
【図６Ｋ】図６Ａ−６Ｖは、本発明による、安全注射器アセンブリの一実施形態の種々の側面を図示し、針は、注射をすると、自動的に後退させられる。
【図６Ｌ】図６Ａ−６Ｖは、本発明による、安全注射器アセンブリの一実施形態の種々の側面を図示し、針は、注射をすると、自動的に後退させられる。
【図６Ｍ】図６Ａ−６Ｖは、本発明による、安全注射器アセンブリの一実施形態の種々の側面を図示し、針は、注射をすると、自動的に後退させられる。
【図６Ｎ】図６Ａ−６Ｖは、本発明による、安全注射器アセンブリの一実施形態の種々の側面を図示し、針は、注射をすると、自動的に後退させられる。
【図６Ｏ】図６Ａ−６Ｖは、本発明による、安全注射器アセンブリの一実施形態の種々の側面を図示し、針は、注射をすると、自動的に後退させられる。
【図６Ｐ】図６Ａ−６Ｖは、本発明による、安全注射器アセンブリの一実施形態の種々の側面を図示し、針は、注射をすると、自動的に後退させられる。
【図６Ｑ】図６Ａ−６Ｖは、本発明による、安全注射器アセンブリの一実施形態の種々の側面を図示し、針は、注射をすると、自動的に後退させられる。
【図６Ｒ】図６Ａ−６Ｖは、本発明による、安全注射器アセンブリの一実施形態の種々の側面を図示し、針は、注射をすると、自動的に後退させられる。
【図６Ｓ】図６Ａ−６Ｖは、本発明による、安全注射器アセンブリの一実施形態の種々の側面を図示し、針は、注射をすると、自動的に後退させられる。
【図６Ｔ】図６Ａ−６Ｖは、本発明による、安全注射器アセンブリの一実施形態の種々の側面を図示し、針は、注射をすると、自動的に後退させられる。
【図６Ｕ】図６Ａ−６Ｖは、本発明による、安全注射器アセンブリの一実施形態の種々の側面を図示し、針は、注射をすると、自動的に後退させられる。
【図６Ｖ】図６Ａ−６Ｖは、本発明による、安全注射器アセンブリの一実施形態の種々の側面を図示し、針は、注射をすると、自動的に後退させられる。
【図７Ａ】図７Ａ−７Ｌは、本発明による、適応可能安全注射器アセンブリの一実施形態の種々の側面を例証し、針は、注射をすると、手動で後退させられる。
【図７Ｂ】図７Ａ−７Ｌは、本発明による、適応可能安全注射器アセンブリの一実施形態の種々の側面を例証し、針は、注射をすると、手動で後退させられる。
【図７Ｃ】図７Ａ−７Ｌは、本発明による、適応可能安全注射器アセンブリの一実施形態の種々の側面を例証し、針は、注射をすると、手動で後退させられる。
【図７Ｄ】図７Ａ−７Ｌは、本発明による、適応可能安全注射器アセンブリの一実施形態の種々の側面を例証し、針は、注射をすると、手動で後退させられる。
【図７Ｅ】図７Ａ−７Ｌは、本発明による、適応可能安全注射器アセンブリの一実施形態の種々の側面を例証し、針は、注射をすると、手動で後退させられる。
【図７Ｆ】図７Ａ−７Ｌは、本発明による、適応可能安全注射器アセンブリの一実施形態の種々の側面を例証し、針は、注射をすると、手動で後退させられる。
【図７Ｇ】図７Ａ−７Ｌは、本発明による、適応可能安全注射器アセンブリの一実施形態の種々の側面を例証し、針は、注射をすると、手動で後退させられる。
【図７Ｈ】図７Ａ−７Ｌは、本発明による、適応可能安全注射器アセンブリの一実施形態の種々の側面を例証し、針は、注射をすると、手動で後退させられる。
【図７Ｉ】図７Ａ−７Ｌは、本発明による、適応可能安全注射器アセンブリの一実施形態の種々の側面を例証し、針は、注射をすると、手動で後退させられる。
【図７Ｊ】図７Ａ−７Ｌは、本発明による、適応可能安全注射器アセンブリの一実施形態の種々の側面を例証し、針は、注射をすると、手動で後退させられる。
【図７Ｋ】図７Ａ−７Ｌは、本発明による、適応可能安全注射器アセンブリの一実施形態の種々の側面を例証し、針は、注射をすると、手動で後退させられる。
【図７Ｌ】図７Ａ−７Ｌは、本発明による、適応可能安全注射器アセンブリの一実施形態の種々の側面を例証し、針は、注射をすると、手動で後退させられる。
【図８Ａ】図８Ａ−８Ｌは、本発明による、適応可能安全注射器アセンブリの一実施形態の種々の側面を例証し、針は、注射をすると、自動的に後退させられる。
【図８Ｂ】図８Ａ−８Ｌは、本発明による、適応可能安全注射器アセンブリの一実施形態の種々の側面を例証し、針は、注射をすると、自動的に後退させられる。
【図８Ｃ】図８Ａ−８Ｌは、本発明による、適応可能安全注射器アセンブリの一実施形態の種々の側面を例証し、針は、注射をすると、自動的に後退させられる。
【図８Ｄ】図８Ａ−８Ｌは、本発明による、適応可能安全注射器アセンブリの一実施形態の種々の側面を例証し、針は、注射をすると、自動的に後退させられる。
【図８Ｅ】図８Ａ−８Ｌは、本発明による、適応可能安全注射器アセンブリの一実施形態の種々の側面を例証し、針は、注射をすると、自動的に後退させられる。
【図８Ｆ】図８Ａ−８Ｌは、本発明による、適応可能安全注射器アセンブリの一実施形態の種々の側面を例証し、針は、注射をすると、自動的に後退させられる。
【図８Ｇ】図８Ａ−８Ｌは、本発明による、適応可能安全注射器アセンブリの一実施形態の種々の側面を例証し、針は、注射をすると、自動的に後退させられる。
【図８Ｈ】図８Ａ−８Ｌは、本発明による、適応可能安全注射器アセンブリの一実施形態の種々の側面を例証し、針は、注射をすると、自動的に後退させられる。
【図８Ｉ】図８Ａ−８Ｌは、本発明による、適応可能安全注射器アセンブリの一実施形態の種々の側面を例証し、針は、注射をすると、自動的に後退させられる。
【図８Ｊ】図８Ａ−８Ｌは、本発明による、適応可能安全注射器アセンブリの一実施形態の種々の側面を例証し、針は、注射をすると、自動的に後退させられる。
【図８Ｋ】図８Ａ−８Ｌは、本発明による、適応可能安全注射器アセンブリの一実施形態の種々の側面を例証し、針は、注射をすると、自動的に後退させられる。
【図８Ｌ】図８Ａ−８Ｌは、本発明による、適応可能安全注射器アセンブリの一実施形態の種々の側面を例証し、針は、注射をすると、自動的に後退させられる。
【図９】図９は、本発明による、自動後退安全注射器構成を使用して、注射を行うためのプロセスの一実施形態の種々の側面を例証する。
【図１０】図１０は、本発明による、手動後退安全注射器構成を使用して、注射を行うためのプロセスの一実施形態の種々の側面を例証する。
【図１１】図１１は、本技術、ペン型自動注入器、および商用注射器のための他の可能な用途を図示する。
【発明を実施するための形態】
【００１２】
図６Ａ−６Ｄを参照すると、注射器本体が、プランジャアセンブリ、ハンドル、および針アセンブリを追加することによって、完全安全注射器に組み立てられる、安全注射器の実施形態が、描写される。図６Ａを参照すると、注射器本体（４６）は、シリンダ（４０）と、ルアーロックアダプタ（４４）とを備え、注射器本体（４６）は、注射器ストッパ、すなわち、ストッパ部材（４３）に動作可能に結合され得、ストッパ部材（４３）を係合する注射器本体（４６）の中に挿入されるプランジャ部材（４１）に動作可能に結合されて示される。ストッパ部材（４３）は、ブチルゴム、クロロブチルゴム、ブロモブチルゴム、および／またはシリコンゴム等のエラストマー材料を含み得る。封止剤コーティングが、ストッパ部材（４３）の少なくとも一部に塗布され、薬品材料をストッパ部材から隔離し得る。封止剤コーティングは、例えば、ＰＴＦＥフィルムを含み得る。潤滑剤層が、ストッパと注射器本体との間に導入され得る。潤滑剤層は、シリコン油を含み得る。ストッパ部材の遠位部分は、従来の市販のコンプライアントなストッパを含み得る。ストッパ部材は、針に結合するために、陥凹または突起を伴わない未処理固体コンプライアント部材を含み得る。ハンドル（４２）は、シリンダ（４０）の近位端に結合され得る。描写される注射器本体（４６）の遠位部分は、針アセンブリ（４５）に選択的に結合され得る、ルアーロックアダプタ（４４）の形態である。図６Ｂは、図６Ａに記載されたアイテムの第２の等角図を示す。図６Ｃは、注射器本体（４６）と、ハンドル（４２）と、プランジャアセンブリ（４１）とを備えている、注射器およびプランジャアセンブリ（４８）の例証である。注射器およびプランジャアセンブリ（４８）は、好ましくは、製造業者によって組み立てられるが、診療現場において、ユーザによっても組み立てられ得る。注射器本体（４６）は、シリンダ（４０）と、ルアーロックアダプタ（４４）とを備え、前述のように、プランジャ部材（４１）に結合され得るストッパ部材（４３）と界面接合するように構成され得る。シリンダ（４０）とストッパ部材（４３）とは、内部薬品チャンバを画定する。事前に充填される場合、薬物（７６）が、シリンダ（４０）の内側に格納され、ストッパ（４３）によって封じ込められ得る。描写されるルアーロックアダプタは、シリンダからの薬物（７６）の通過のための内径を画定する、ルアーロックアダプタを通して配置される孔（３１）を有する。キャプ（１３１）が、出荷のために、注射器本体の先端上に設置され、使用に先立って、除去され得る。注射器本体は、ガラス、ポリマー、例えば、ＣＯＣ、ＣＯＰ、ナイロン、ポリプロピレン、ポリエチレン、または金属から成る群から選択されるもの等の材料を含み得る。注射器ストッパは、好ましくは、低浸出性ブチルゴムから成る。しかしながら、ストッパはまた、または代替として、シリコンゴム等の材料または他のエラストマー材料を含み得る。ストッパは、シリコン油、ＰＴＦＥ、または他の医療グレード潤滑剤等の医薬品グレードの潤滑剤でコーティングされることができる。ストッパはまた、フィルム内に被覆され、潤滑剤および／または薬物汚染障壁を提供することができる。描写される注射器ストッパに結合されるのは、注射器プランジャ（４１）である。注射器ストッパとプランジャの接続は、例えば、ねじ接続、締まり嵌め、接着剤接続、および／または溶接接続を含み得る。ハンドル（４２）は、ラッチ接触表面（７０）と、整列特徴（１３５）とを備えている。整列特徴は、プランジャ（図６Ｌの１２０）内のスロットと協働し、２つの構成要素を整列させる。整列特徴（１３５）はまた、ハンドル（４２）が設置されると、プランジャが、注射器本体（４６）から引き抜かれることを防止する。図６Ｄは、針カバー（４７）内に配置される針アセンブリ（４５）を伴う、完成した注射器およびプランジャアセンブリ（４８）を図示する。針カバーは、ユーザによる設置中、針の返し端とルアーロックアダプタ（４４）の先端の内径を整列させるためのリブ（１１１）で構成され得る。隆起、複数の環状リング、または可撓性構造等の代替整列幾何学形状もまた、整列のために使用され得る。代替として、針（４５）は、製造業者によって、注射器およびプランジャアセンブリ（４８）に事前に結合され得る。
【００１３】
図６Ｅ−６Ｉを参照すると、針アセンブリ（４５）は、出荷中、針アセンブリをカバーの内側に保持するために、針カバー（４７）内に結合され、注射器のルアーロックアダプタへの針アセンブリの設置時に、解放される。針アセンブリと針カバーの接続は、例えば、スナップ嵌め、バヨネット接続、締まり嵌め、および／またはねじ接続のうちの１つ以上のものを含み得る。針カバーはまた、リム（１１０）を有し得、リム（１１０）は、滅菌障壁に取り付けられ、出荷のために、針の無菌状態を維持するために使用され得る。スペーサ構成要素はまた、出荷中、針（４５）を針カバー（４７）の内側に保持するために使用され得る。図６Ｆは、ノーズコーン（４９）と、針ラッチ（５０）と、ドア（５１）と、シール（５２）と、メス型ルアーベース（５３）と、針（５４）とから構築される針アセンブリ（４５）の分解図である。ノーズコーン（４９）は、メス型ルアーベース（５３）上にスナップ嵌めし、他の構成要素を含むように構成され得る。針ラッチ（５０）は、針（５４）を把持し、かつ針を解放するように曲げられ得る、可撓性アーム（７５）を備え得る。可撓性アーム（７５）は、好ましくは、切り欠き特徴（６１）において、針（５４）を把持するように構成される。把持状態では、針（５４）は、ノーズコーン（４９）、針ラッチ（５０）、シール（５２）、およびメス型ルアーベース（５３）の中心管腔の内側に配置される。ドア（５１）は、好ましくは、孔（７２）が、針の中心軸と整列させられ、ドアが、針ラッチの可撓性アーム（７５）の内側に位置するように整列させられる。可撓性アーム（７５）は、軸方向力を針に加え、ドアを前方に押しやり、可撓性アーム（７５）を広げ、アームが針を解放することを可能にすることによって、曲げられ、針（５４）を解放し得る。これは、針が、本書に示される方法のうちの１つによって後退させられることを可能にする。針（５４）が、後退させられ、もはやドア（７２）内の孔を係合しなくなると、ドアは、可撓性アーム（７５）によって側方に押しやられ、孔（７２）を針の軸との整列から外れさせ、針が再前進させられることを防止する。シール（５２）は、針（５４）の周縁の周囲における薬物漏出に対する障壁を提供する。このシールは、エラストマーＯリングとして示されるが、隔壁または充填シリコーングリースシール等の他のシールも、使用され得る。図６Ｇ−６Ｉは、針（５４）の異なる可能な構造である。針（５４）は、カニューレ（５５）と、カニューレハブ（５６）と、少なくとも１つの係留要素または返し（５７）とから構築される。少なくとも１つの係留要素（５７）は、注射器のゴムストッパを穿通し、それを把持するように意図される。少なくとも１つの係留要素（５７）は、プランジャを係合する突起（３２）を有し得るか、または平滑であり、概して、少なくとも部分的に、ストッパ部材の少なくとも一部の中に穿刺された後、引き出しに抵抗するように構成され得る。係留要素（５７）は、ステンレス鋼、コバルト−クロム合金、およびチタンから成る群から選択される金属等の１枚のシート原材料から形成され得、返し、スカイブカット、フック幾何学形状、および／または矢じり幾何学形状等の幾何学形状を画定し得る。一実施形態では、これらの構成要素は、ステンレス鋼またはチタン等の金属を含み得る。別の実施形態では、また、ポリマーまたはガラスを含み得る。描写されるカニューレ（５５）は、接着剤、エポキシ、はんだ、ろう接、溶接、レーザ溶接、摩擦溶接、締まり嵌め、または機械的加締のうちの１つ以上のもの等を使用して、カニューレハブ（５６）に接合される。別の実施形態では、針（５４）は、単一片構造として製造され得る。図６Ｇを参照すると、返しまたは係留要素（５７）は、スロット（６０）と係合し、返しを保持する、ラッチ（１１２）を伴って構築され得る。流体通路（７７）は、描写される構成では、返しの周囲に維持され、したがって、注射流体は、妨害されない。スロット（６０）はまた、注射をすることに先立って、注射器本体から気泡を排除する役割を果たす。図６Ｈを参照すると、返し（５７）は、カニューレハブ（１１４）の内径の中への締まり嵌めを可能にし、返しを保持する可撓性構造（１１３）を伴って構築される。接着剤もまた、可撓性構造（１１３）上に設置され、返しをカニューレハブ（５６）の内側に保持し得る。流体通路（７７）および（７８）は、返しの周囲に維持され、したがって、注射流体は、妨害されない。図６Ｉの実施形態を参照すると、返し（１１５）は、カニューレハブ（５８）と一体型に構築され得る。流体通路（７９）は、返しの周囲またはそれを通して維持され、したがって、注射流体は、妨害されない。切り欠き（６１）が、カニューレハブ（５８）内に形成され、針アセンブリと係合し、注射中、針（５４）を定位置に固定する。この切り欠きはまた、接着剤、締まり嵌め、または溶接技法等を採用することによって、カニューレも周囲にリングを取り付けることによって構築され得る。代替として、カニューレハブとストッパとの間の吸引取り付け、または返しを伴わず、両端が鋭い裸針等、他のストッパへの針の取り付け方法も、使用され得る。カニューレ直径サイズは、約０．００７２５インチ（３４ゲージ）〜約０．０７２インチ（１５ゲージ）外径の範囲である。カニューレ長さのサイズは、患者の中への注射のためにデバイスの外側に突出するために、約１／４インチ〜約２．０インチの長さの範囲である。カニューレハブ（５６）は、注射器のルアーロック先端の内径内を自由にスライドするようにサイズ決定され得、したがって、外径は、ルアーロックアダプタ（図６Ｃ４４）の内径（図６Ｃ３１）より小さい。市販の注射器本体は、約０．０４０インチ〜約０．０８０インチの内径を伴う、ルアーロック先端を有する。カニューレハブ（５６）外径は、約０．０２０インチ〜約０．０７９インチの範囲であることができる。好ましくは、カニューレハブは、約０．０３９インチの外径である。図６Ｈ−６Ｉに描写される種々の実施形態では、例えば、針は、針アセンブリの鋭くされた（すなわち、返し付き等）近位端がストッパ部材の中に穿通された場合、ストッパ部材の遠位端の遠位に位置する近位入口を有する、それを通る薬物通路を画定し得る。
【００１４】
図６Ｊ−６Ｌを参照すると、プランジャアセンブリ（４１）は、プランジャベースまたはプランジャ部材本体（６２）と、ラッチ部材（６４）と、後退要素またはエネルギー貯蔵部材、（６３）と、プランジャ先端（６５）とを備え得る。図６Ｊは、プランジャ（４１）の分解図である。プランジャベース（６２）は、中空管状構造であり、親指パッド特徴（６６）の近傍に位置するラッチ嵌合表面（６７）を伴う。プランジャアセンブリ（４１）は、ストッパ部材の中への相互結合のためのねじ山付き遠位先端を有し得、針部材近位端がストッパ部材に完全に穿通することを可能にするように構成される中空陥凹を備え得る。親指パッド（６６）は、管状構造の一端を閉鎖し、後退要素（６３）が保持されるための場所を生成する。プランジャ部材本体（６２）内に配置されるのは、後退要素またはエネルギー貯蔵部材（６３）を保持する、ラッチ部材（６４）である。プランジャ部材本体（６２）は、エネルギー貯蔵部材または後退要素（６３）がプランジャ部材本体内部容積内に実質的に格納され得るように、内部容積を画定し得る。ばね式エネルギー貯蔵部材に関し、ばね部材は、単一の略螺旋形状のコイルを含み得る。別の実施形態では、ばね部材は、複数の略螺旋形状のコイルを含み、これは、例えば、同軸状に整列させられるか、縦方向に平行に整列させられるか、または同軸状に整列させられかつ縦方向に平行に整列させられ得る。ばね部材が、同軸状に整列させられ、かつ縦方向に平行に整列させられるばね要素またはコイルを含むある実施形態では、ばね要素またはコイルは、互に対して反対巻き方向で螺旋状に巻かれ、コイルの圧縮時のコイル干渉を防止し得る。
【００１５】
ラッチ嵌合表面（６７）の遠位には、隙間スロット（１２０）があり、隙間スロット（１２０）は、後退要素（６３）の解放時、ラッチ部材（６４）がプランジャねじ（６５）に向かって進行することを可能にする。プランジャねじ（６５）は、タブ（１２１）とスロット（１２３）との間のスナップ接続を用いて、プランジャベース（６２）の先端に結合される。プランジャねじ（６５）とプランジャベース（６２）の他の取り付け方法として、限定ではないが、ねじ式接続、接着接続、溶接接続、および／または一体型構造が挙げられる。ラッチガード（１２２）が、ラッチが不注意に起動させられることを防止するように構成され得る。描写されるラッチ部材（６４）は、ラッチフック（６８）と、トリガ要素（６９）と、後退要素係合特徴（１２４）とを有する。ラッチ部材は、ポリエーテルイミド、ｐｅｅｋ、および／またはポリアミド等のポリマー材料を含み得る。同様に、プランジャの種々の構成要素は、ポリエーテルイミド、ｐｅｅｋ、および／またはポリアミド等のポリマー材料を含み得る。図６Ｋは、プランジャ（４１）の完全に組み立てられた図を描写する。図６Ｌは、プランジャ（４１）の断面図を図示し、針の後退前に、後退要素またはエネルギー貯蔵部材（６３）を圧縮状態に保持するために定位置に設置されたラッチ部材（６４）を示す。ラッチは、プランジャ本体（６２）の内側の嵌合表面（６７）を係合し、プランジャ内側の後退要素を圧縮状態に保持するフック（６８）を有する。代替構成は、プランジャシャフトの外側に後退要素（６３）を有し得る。描写されるラッチ部材（６４）は、フック（６８）を嵌合表面（６７）から係合解除し、後退要素（６３）を解放し、拡張させるように作用するトリガ要素（６９）を有する。ラッチは、軸方向力がトリガ（６９）に加えられると、解放するようにトリガされる。この軸方向力は、ハンドル接触表面（図６Ｓの７０）との接触によって、注射ストロークの底部に加えられる。解放された後退要素は、ラッチにプランジャベース（６２）内のスロット（１２０）に沿って軸方向に移動させ、この移動は、図６Ｍに示されるハンドル（４２）のラッチ接触表面（７０）よって作用され、プランジャに退行移動させ、プランジャに結合されたプランジャねじに結合されたストッパ（４３）に結合された針（図６Ｆの５４）を後退させる。本明細書に示される後退要素は、金属ばねであるが、他の圧縮性要素も、想定される。エネルギー貯蔵部材または後退要素（６３）は、１つ以上の螺旋ばねまたは固体ペレット部材を含み得、ポリマー、エラストマー、またはゴム材料等の材料を含み得る。例えば、エネルギー貯蔵部材ばねは、ステンレス鋼、炭素鋼、ベリリウム銅合金、ニッケル−チタン合金、クロム−シリコン合金、およびコバルト−ニッケル合金から成る群から選択される材料を含み得る。代替として、ばねエネルギー貯蔵部材は、スチレンポリマー、コポリエステルポリマー、ポリウレタン、ポリアミド、ポリオレフィン混成物、ポリオレフィン合金、ポリオレフィンプラストマ、ポリオレフィンプラストマ、およびゴムから成る群から選択される材料等のエラストマーポリマーを含み得る。固体ペレットエネルギー貯蔵部材は、スチレンポリマー、コポリエステルポリマー、ポリウレタン、ポリアミド、ポリオレフィン混成物、ポリオレフィン合金、ポリオレフィンプラストマ、ポリオレフィンプラストマ、およびゴムから成る群から選択されるエラストマーポリマーを含み得る。プランジャベース（６２）、ラッチ（６４）、およびプランジャ先端（６５）は、ナイロン、Ｕｌｔｅｍ、ポリエーテルエーテルケトン、ポリエチレン、ポリプロピレン、ＣＯＣ、ＣＯＰ、ガラスまたは炭素ファイバ充填ポリマー、または他の充填ポリマー複合材等のポリマーから構築され得る。ラッチ、プランジャベース、またはプランジャ先端のための代替材料は、金属または他の構造材料である。
【００１６】
図６Ｍ−６Ｖを参照すると、一実施形態のための一続きの注射が、図示される。図６Ｍは、注射器本体（４６）と、ハンドル（４２）と、プランジャ（４１）とを有する注射器本体アセンブリ（４８）を示す、側面図である。針カバー（４７）が、針（４５）を注射器先端の中に誘導する。図６Ｎは、使用中のデバイスの断面を示す。針（４５）は、注射器本体アセンブリ（４８）に結合されている。送達される薬物（７６）は、注射器組立に先立って、注射筒（４０）の内側に事前装填されている。針アセンブリ（４５）は、出荷、取り扱い、組立、注射、および／または患者からの引き抜き中、針を保持するように整列させられた針ラッチ（５０）およびドア（５１）を用いて針（５４）を把持する。注射器ストッパ（４３）は、プランジャ（４１）の端部に位置し、針の吸引が、注射部位が血管内にあるかどうかを識別するために必要である場合、距離（７４）にわたって後退させられることが可能である。後退要素（６３）は、ラッチ（６４）によって圧縮状態に制約されている。注射を投与する人物が、軸方向力をプランジャ親指パッド（６６）およびハンドル（４２）に加え、液体を針を通して患者の中に押しやる。図６Ｏは、デバイスの断面を描写し、針の吸引を図示する。力が、親指パッド（６６）に加えられ、プランジャ（４１）およびストッパ（４３）を後退方向に引っ張り、距離（７４）を減少させ、針の先端に若干の真空を生成し、針を吸引し得る。図６Ｐは、カニューレハブにおける切り欠き（６１）と界面接合する可撓性アーム（７５）によって、針ラッチ（５０）によって把持されている針を図示する。図６Ｑは、注射をする進度を図示する。力が、親指パッド（６６）に前進方向に加えられ、プランジャ（４１）およびストッパ（４３）を移動させ、薬物（７６）を針を通して押しやり得る。図６Ｒは、注射中、保持されている針を示す。図６Ｓは、注射の完了を図示する。プランジャ（４１）は、完全に前進させられている。針は、ドア（５１）を針ラッチアーム（７５）の中に押しやり、アームを広げ、後退のために針（５４）を解放することによって、解放される。ストッパ（４３）は、返し（５７）によって穿刺されている。返し（５７）は、穿刺されると、ストッパに結合し、ストッパ（４３）の後退方向運動時の針の後退を可能にするように構成される。ラッチ（６４）は、ハンドル（４２）から突出するラッチ接触表面（７０）とラッチトリガ要素（６９）との間の接触によって回転させられる。ラッチフック（６８）は、嵌合表面（６７）から係合解除し、後退要素（６３）を解放し、軸方向力を加え、プランジャ（４１）およびストッパ（４３）を後退方向に移動させ、結合された針（５４）を注射器の先端から後退させる。ラッチフック係合解除は、注射ストロークの終了と同時に生じ得るか、または注射ストロークの終了前に生じ得る。ユーザは、その親指を親指パッド（６６）から除去し、プランジャが、後退方向に移動し、針を後退させることを可能にし得る。代替として、ユーザは、親指パッド（６６）との親指接触を保持し、後退速度を制御し得る。図６Ｔは、針解放機構の一実施形態を図示する。針（５７）の返し（５７）は、プランジャ（４１）に結合されているストッパ（４３）に接触し、結合する。返し（５７）とストッパ（５３）の結合は、返しをストッパの中に突き刺すことによって生成され得る。返しとストッパを結合するための他の好適な方法として、限定ではないが、真空、接着剤、フック、および／またはＶｅｌｃｒｏ（登録商標）タイプ接続が挙げられる。針（５４）は、結合動作中、ストッパ（４３）によって前方に押しやられ、ドア（５１）とカニューレハブ（５６）の遠位端で接触し、ドアを針ラッチ（５１）の可撓性アーム（７５）と係合するように押す。可撓性アームは、側方に広げられ、ストッパ（４３）に結合されるプランジャ（４１）に結合される後退要素（６３）による針（５４）の後退時、針（５４）の切り欠き（６１）が軸方向に移動することを可能にする。図６Ｕは、シリンダ（４０）の内側に後退させられた針（５４）を図示する。後退要素（６３）は、プランジャ（４１）を後方に押しやり、プランジャ（４１）は、ストッパ（４３）およびプランジャ（４１）に結合される針（５７）を後退させる。この針の後退率速度は、ストッパ（４３）とシリンダ（４０）との間の摩擦によって減衰させられる。ストッパ（４３）の異なる潤滑レベルが、針の後退を加速または減速させるために使用されることができる。図６Ｖは、針が後退させられた後のドア（５１）の位置を図示する。可撓性アーム（７５）は、ドア孔（図６Ｆの７２）を針の軸との整列から押し出し、ユーザによる針の再露出を防止する。針捕捉特徴（７１）が、ここで、針軸と整列させられ、針がプランジャの偶発的前進によって、再び露出されることを防止する。
【００１７】
図７Ａ−ＬＤを参照すると、注射器本体が、プランジャと、ハンドルと、針とに接続され、手動起動安全注射器を生成する安全注射器実施形態が、描写される。図７Ａは、ハンドル（８１）およびプランジャ部材（８０）に接続される注射器本体（４６）を備え得る注射器およびプランジャアセンブリ（１４０）の例証である。注射器本体は、空で提供され得るか、または組立に先立って、薬物で事前に充填され得る。針（４５）は、針カバー（４７）内に配置されて示される。描写される実施形態では、針は、シリンダ（４０）に結合されるルアーロック先端（４４）を使用して、注射器本体（４６）に結合されることになる。代替として、ハンドル（８１）およびプランジャ部材（８０）は、注射器本体（４６）と一緒に供給され、診療現場において、ユーザによって組み立てられ得る。さらに、針（４５）は、製造業者によって、注射器およびプランジャアセンブリ（１４０）に事前に結合され得る。図７Ｂは、組み立てられ、注射を開始する準備ができている、安全注射器の例証である。描写される針（４５）は、ハンドル（８１）およびプランジャ部材（８０）が結合された状態で、注射器本体（４６）に結合されている。図７Ｃは、デバイスの分解図である。注射器本体（４６）は、シリンダ（４０）と、ルアーロック先端（４４）とを備え、ストッパ部材（４３）と界面接合されるように構成される。薬物（７６）は、シリンダの内側に事前に充填され、ストッパ（４３）を用いて保持されることができる。代替として、薬物は、使用時、薬品バイアルから注射器の中に充填されることができる。プランジャ部材（８０）は、ストッパ（４３）の中にねじ込まれる。ハンドル（８１）は、注射器本体（４６）に結合される。針カバー（４７）の内側の針（４５）は、次いで、注射器本体（４６）に結合される。
【００１８】
図７Ｄ−７Ｌを参照すると、注射をするための一続きの実施形態が、示される。図７Ｄは、ハンドル（８１）およびプランジャ部材（８０）が設置された状態の注射器本体（４６）を示す。プランジャは、力をストッパに加えるためのリング（８２）を有する。針アセンブリ（４５）は、整列を誘導するための針カバー（４７）を使用して、注射器の先端の中に挿入される。図７Ｅは、注射をするための準備ができた針（５４）が設置された針アセンブリ（４５）を示す。図７Ｆは後退方向の力をプランジャリング（８２）に加えることによる、針（５４）の吸引を示す。この動作は、ストッパ（４３）を後退方向に引っ張り、針先端が血管内にあるかどうかを決定するための若干の真空を針先端に生成する。代替として、プランジャは、親指パッド（図６Ｊの６６）タイプの構造を有し、および／または、針を把持し手動で後退させるための平滑シャフトを有し得る。図７Ｇは、患者の中への薬品（７６）の注射を図示する。図７Ｈは、注射中の針アセンブリを図示する。針（５４）は、針ラッチ（５０）およびドア（５１）によって、切り欠き（６１）に捕捉される。図７Ｉは、注射の完了および針の解放を図示する。力が、プランジャ（８０）の端部に加えられ、ストッパ（５３）に注射筒（４０）の端部に到達させ、薬物を排出する。ストッパ（４３）は、力を返し（５７）を通して針（５４）に加え、針およびドア（５１）を前方に押しやり、針ラッチ（５０）を掛止解除する。針（５４）の返し（５７）は、ストッパ（４３）を穿通し、針をプランジャロッド（８０）に結合する。ストッパの穿通は、部分的または完全であり得る。図７Ｊは、掛止解除位置における針のより大きい図である。ドア（５１）は、カニューレハブ（５６）および返し（５７）を通して作用されるプランジャ力によって、前方に押される。ドア（５１）は、針ラッチ（５０）に切り欠き（６１）から係合解除させ、針が解放されることを可能にする。ドア（５１）は、針（５４）と整列させられる、孔（７１）を有する。図７Ｋは、プランジャ（８０）のリング（８２）への後退方向の力の適用、ストッパ（４３）およびそれと結合された針（５４）の後退を示す。図７Ｌは、針（５４）による撤去時のドア（５１）の動きを図示する。ドアは、側方にスライドし、したがって、孔（図６Ｍの７２）は、針と整列させられない。針捕捉特徴（７１）が、ここで、針軸と整列させられ、針がプランジャの偶発的前進によって再び露出されることを防止する。この時点において、プランジャ（８０）は、ストッパ（４３）からねじって外され、廃棄されることができる。代替として、プランジャは、脆弱であり、廃棄のために破壊され、さらに、偶発的針露出を防止することができる。
【００１９】
図８Ａ−８Ｌを参照すると、自動後退可能針安全注射器の代替実施形態の種々の側面が、図示される。図８Ａは、ストッパ部材（４３）に結合されるシリンダ（４０）を備えている注射器本体（４６）を伴う注射器の分解図である。針アセンブリ（４５）は、針カバー（４７）内に配置される。プランジャ（９０）は、プランジャねじ（９４）と、後退要素（９３）と、ブレーキ（９１）と、ブレーキリテーナ（９２）と、プランジャロッド（９５）と、親指パッド（９６）とから成るように示される。図８Ｂは、注射のための準備ができている完成した注射器の代替図である。針アセンブリ（４５）は、ストッパ（４３）およびハンドル（４２）に結合されるプランジャが設置された状態で、注射器（４０）の先端上に設置される。図８Ｃは、針カバー（４７）および針アセンブリ（４５）が設置された状態の注射器の例証である。デバイスの近位端は、薬物（７６）で充填された注射器と、定位置のストッパ（４３）と、ストッパ内に設置されたプランジャねじ（９４）とを示し、後退要素（９３）は、プランジャねじおよび近位ベース（９７）に結合されて示される。ブレーキ（９１）は、ブレーキリテーナ（９２）を用いて、近位ベース（９７）に結合される。プランジャロッド（９５）は、プランジャねじ（９４）と、親指パッド（９６）とに結合され、ブレーキ（９１）内の孔を通して配置される。図８Ｄおよび８Ｅは、親指パッド（９６）への後退方向の力の適用を用いて、ストッパ（４３）を距離（９８）にわたって後退させることによる、針の吸引を示す。図８Ｆは、親指パッド（９６）への前進方向の力の適用による、流体の注射を示す。この力は、プランジャロッド（９５）を通して伝達され、ストッパ（４３）を移動させ、液体を針（５４）を通して排出する。後退要素（９３）は、伸ばされ、貯蔵エネルギーが、針（５４）を後退させるために後に使用される。ブレーキ（９１）は、「制動」および「自由」の２つの構成を有するように構成される。「制動」構成では、ブレーキは、プランジャロッド（９５）の前進方向運動を可能にし、後退方向運動に抵抗するであろう。一方、「自由」構成では、ブレーキは、前進方向および後退方向運動の両方を可能にするであろう。ブレーキは、ユーザが、その親指を親指パッドから除去しようとする場合、プランジャが後退方向に移動することを防止する。これは、単一薬剤が複数の注射部位にわたって投与されるべき場合、または部分的用量のみが要求される場合、有用である。ユーザは、残りの用量を排出し、安全機構をトリガし、針を後退させ得る。ブレーキを「制動」から「自由」に切り替えるためのトリガ機構は、親指パッド（１０１）の遠位表面とブレーキ（１００）の近位表面との間の接触によって生じるブレーキの圧壊である。図８Ｇは、注射の完了を図示する。流体は、患者の中に注射されており、ストッパ（４３）は、注射器本体の底についている。針（５４）は、針アセンブリ（４５）から解放され、返し（５７）は、ストッパ（４３）に結合される。ブレーキ（９１）は、ブレーキと親指パッド表面（１０１）との間の接触によって、「制動」から「自由」に切り替えられている。後退要素（９３）は、完全に伸ばされ、貯蔵エネルギーが、針を後退させるために使用される。この時点において、ユーザの親指を親指パッドから除去すると、針が後退させられることを可能にする。図８Ｈは、後退において貯蔵されたエネルギーによって注射器本体の中に後退させられた針を図示する。図８Ｉ−８Ｌは、ブレーキ構成要素を図示する。ブレーキ（９１）は、上向きに角度付けられ（１１０）、それを通して設置されたプランジャシャフトを妨げるように構成される中心孔（１０３）から成る。この妨げは、上向きの方向におけるプランジャシャフト運動に抵抗する一方、他の方向における自由運動を可能にするように提供される。ブレーキはさらに、上側表面（１０２）への圧壊力の適用の下、塑性的に変形するように設計される、首状部分（１０４）を備えている。これは、ブレーキを変形させ、角度（１１０）を減少させ、中心孔（１０３）をプランジャシャフトと整列させ、プランジャシャフトの両方向における自由運動を可能にする。ブレーキ（１０２）の上側表面はまた、ブレーキ係合解除中、変形し、組立許容誤差に適応し、後退機構が確実に機能することを可能にするように意図される。
【００２０】
前述の針後退および保護のシステムおよび方法は、事前に充填された注射器における使用のために図示される。これらのシステムおよび方法はまた、商用注射器およびペン型自動注入器においても有用である。
【００２１】
図９を参照すると、注射を行うための方法の一実施形態が、図示される。本方法は、注射器本体と、プランジャと、ハンドルで事前に組み立てられる、事前に充填された注射器を提供すること（１５０）を伴う。針を注射器の先端に結合し、針の少なくとも一部は、注射器本体の内径の内側に延びる（１５１）。好ましくは、本針は、針カバーによって、注射器本体の中に誘導されるが、しかしながら、他の誘導特徴も、使用され得る。誘導が、使用されないこともあり、ユーザは、注射器本体の内径に進入する針を視覚化することができる。針カバーを除去する（１５２）。注射をする（１５３）。注射の完了時、針は、プランジャに結合されるストッパに結合され、プランジャは、針を注射筒の中に自動的に後退させるように構成される（１５４）
図１０を参照すると、注射を行う方法の一実施形態が、図示される。本方法は、注射器本体と、プランジャと、ハンドルで事前に組み立てられる、事前に充填された注射器を提供すること（１６０）を伴う。針と注射器の先端を結合し、針の少なくとも一部は、注射器本体の内径の内側に延びる（１６１）。好ましくは、本針は、針カバーによって注射器本体の中に誘導されるが、しかしながら、他の誘導特徴も、使用され得る。代替として、誘導が、使用されないこともあり、ユーザは、注射器本体の内径に進入する針を視覚化することができる。針カバーを除去する（１６２）。注射をする（１６３）。注射の完了時、針は、プランジャに結合されるストッパに結合され、プランジャは、針を注射筒の中に手動で後退させるように構成される（１６４）。
【００２２】
図１１を参照すると、ペン型自動注入器の一実施形態が、図示される（２００）。描写される自動注入器は、内側に配置されるブチルゴムストッパ（２０６）とともに、注射ボタン（２０１）と、薬品バイアル（２０３）とを格納する本体（２０５）を備えている。針（２０４）は、デバイスの遠位先端における針ガード（２０２）の内側に配置される。薬品バイアル（２０３）は、薬物で事前に充填され得る。後退可能針機構（図６Ｆの４５）および針幾何学形状（図６Ｆの５４）が、自動注入器（２００）のブチルゴムストッパ（２０６）に結合するために使用されることができる一方、プランジャ機構（図６Ｌの４１）は、注射ボタン（２０１）に使用され、後退可能針自動注入器を生成することができる。
【００２３】
本発明の種々の例示的な実施形態が、本明細書で説明される。非限定的な意味で、これらの実施例が参照される。それらは、本発明のより広く適用可能な側面を図示するように提供される。種々の変更が、説明される本発明に行われ得、本発明の真の精神および範囲から逸脱することなく、同等物が置換され得る。加えて、多くの修正が、特定の状況、材料、組成物、過程、過程の行為またはステップを、本発明の目的、精神、または範囲に適合させるように行われ得る。さらに、当業者によって、本明細書で説明および図示される個々の変化例の各々は、本発明の範囲または精神から逸脱することなく、他のいくつかの実施形態のうちのいずれかの特徴から容易に分離され、またはそれらと組み合わせられ得る、別個の構成要素および特徴を有することが理解されるであろう。全てのそのような修正は、本開示と関連付けられる特許請求の範囲内にあることを目的とする。
【００２４】
対象診断または介入手技を実行するために説明されるデバイスのうちのいずれかは、そのような介入を実行する際に使用するためのパッケージ化した組み合わせで提供され得る。これらの供給「キット」はさらに、使用説明書を含み得、そのような目的で一般的に採用されるような滅菌トレイまたはコンテナの中でパッケージ化され得る。
【００２５】
本発明は、対象デバイスを使用して行われ得る方法を含む。方法は、そのような好適なデバイスを提供する行為を含み得る。そのような提供は、エンドユーザによって行われ得る。言い換えれば、「提供する」行為は、エンドユーザが、対象方法において必要デバイスを提供するように、取得すること、アクセスすること、接近すること、位置付けること、設定すること、起動すること、電源を入れること、または別様に行動することを単に要求する。本明細書に記載の方法は、論理的に可能である、記載した事象の任意の順序で、ならびに事象の記載した順序で実行され得る。
【００２６】
本発明の例示的な側面が、材料選択および製造に関する詳細とともに、上記で説明されている。本発明の他の詳細に関しては、これらは、上記で参照した特許および出版物との関連で理解され、ならびに、概して当業者によって知られ、または理解され得る。例えば、当業者であれば、所望の場合、例えば、器具類の他の部分または近くの組織構造に対して、可動連結部品の比較的広い界面等のデバイスの種々の部分の低摩擦操作または前進を促進するために、そのような物体と関連して、１つ以上の潤滑被覆（例えば、ポリビニルピロリドンベースの組成物等の親水性ポリマー、テトラフルオロエチレン等のフッ素重合体、親水性ゲル、またはシリコン）が使用され得ることを理解するであろう。同じことが、一般的または論理的に採用されるような追加の行為に関して、本発明の方法ベースの側面に関して当てはまり得る。
【００２７】
加えて、本発明は、種々の特徴を随意的に組み込む、いくつかの実施例を参照して説明されているが、本発明は、本発明の各変化例に関して検討されるように、説明または指示されるものに限定されない。種々の変更が、説明される本発明に行われ得、本発明の真の精神および範囲から逸脱することなく、同等物（本明細書で記載される、またはいくらか簡略にするために含まれない）が置換され得る。加えて、値の範囲が提供される場合、その範囲の上限と下限との間の全介在値、およびその規定範囲内の任意の他の規定または介在値が、本発明内に包含されることを理解されたい。
【００２８】
説明される本発明の変形例の任意の随意的な特徴が、独立して、または本明細書で説明される特徴のうちのいずれか１つ以上のものと組み合わせて説明され得ることも検討される。単数項目への言及は、複数の同じ項目が存在する可能性を含む。より具体的には、本明細書で、および本明細書と関連付けられる請求項で使用されるように、「１つの（ａ、ａｎ）」、「該（ｓａｉｄ）」、および「ｔｈｅ（ｔｈｅ）」等の単数形は、特に指定がない限り、複数の指示対象を含む。言い換えれば、冠詞の使用は、上記の説明ならびに本開示と関連付けられる請求項において、対象項目の「少なくとも１つ（ａｔ  ｌｅａｓｔ  ｏｎｅ）」を可能にする。さらに、そのような請求項は、いずれの随意的要素も除外するように起草され得ることが留意される。そのようなものとして、この記述は、請求項の要素の記載に関連した「単独で（ｓｏｌｅｌｙ）」、「のみ（ｏｎｌｙ）」、および同等物等の排他的用語の使用、または「負の」制限の使用の根拠としての機能を果たすことを目的としている。
【００２９】
そのような排他的用語を使用することなく、本開示と関連付けられる請求項の中の「備えている（ｃｏｍｐｒｉｓｉｎｇ）」という用語は、所与の数の要素が、そのような請求項の中で列挙されるか、または特徴の追加を、そのような請求項で説明される要素セットの性質を転換するものとを見なすことができるかどうかにかかわらず、任意の追加の要素を含むことを可能にするものとする。本明細書で具体的に定義される場合を除いて、本明細書で使用される全ての技術および科学用語は、請求項の妥当性を維持しながら、可能な限り広い一般的に理解されている意味が与えられるものである。
【００３０】
本発明の広がりは、提供される実施例および／または本明細書に限定されず、本開示と関連付けられた特許請求の範囲の用語の範囲によってのみ限定される。
【図１】
0006559667.tif 000002
【図２】
0006559667.tif 000003
【図３】
0006559667.tif 000004
【図４】
0006559667.tif 000005
【図５】
0006559667.tif 000006
【図６Ａ】
0006559667.tif 000007
【図６Ｂ】
0006559667.tif 000008
【図６Ｃ】
0006559667.tif 000009
【図６Ｄ】
0006559667.tif 000010
【図６Ｅ】
0006559667.tif 000011
【図６Ｆ】
0006559667.tif 000012
【図６Ｇ】
0006559667.tif 000013
【図６Ｈ】
0006559667.tif 000014
【図６Ｉ】
0006559667.tif 000015
【図６Ｊ】
0006559667.tif 000016
【図６Ｋ】
0006559667.tif 000017
【図６Ｌ】
0006559667.tif 000018
【図６Ｍ】
0006559667.tif 000019
【図６Ｎ】
0006559667.tif 000020
【図６Ｏ】
0006559667.tif 000021
【図６Ｐ】
0006559667.tif 000022
【図６Ｑ】
0006559667.tif 000023
【図６Ｒ】
0006559667.tif 000024
【図６Ｓ】
0006559667.tif 000025
【図６Ｔ】
0006559667.tif 000026
【図６Ｕ】
0006559667.tif 000027
【図６Ｖ】
0006559667.tif 000028
【図７Ａ】
0006559667.tif 000029
【図７Ｂ】
0006559667.tif 000030
【図７Ｃ】
0006559667.tif 000031
【図７Ｄ】
0006559667.tif 000032
【図７Ｅ】
0006559667.tif 000033
【図７Ｆ】
0006559667.tif 000034
【図７Ｇ】
0006559667.tif 000035
【図７Ｈ】
0006559667.tif 000036
【図７Ｉ】
0006559667.tif 000037
【図７Ｊ】
0006559667.tif 000038
【図７Ｋ】
0006559667.tif 000039
【図７Ｌ】
0006559667.tif 000040
【図８Ａ】
0006559667.tif 000041
【図８Ｂ】
0006559667.tif 000042
【図８Ｃ】
0006559667.tif 000043
【図８Ｄ】
0006559667.tif 000044
【図８Ｅ】
0006559667.tif 000045
【図８Ｆ】
0006559667.tif 000046
【図８Ｇ】
0006559667.tif 000047
【図８Ｈ】
0006559667.tif 000048
【図８Ｉ】
0006559667.tif 000049
【図８Ｊ】
0006559667.tif 000050
【図８Ｋ】
0006559667.tif 000051
【図８Ｌ】
0006559667.tif 000052
【図９】
0006559667.tif 000053
【図１０】
0006559667.tif 000054
【図１１】
0006559667.tif 000055